(57)【要約】【課題】    複数のアラーム発生条件の中で最も重要度のレベルが高いアラーム発生条件に関する情報を表示するペーパレスレコーダを提供する。【解決手段】    アラームが発生した旨を表示する表示手段を備えたペーパレスレコーダにおいて、チャネル毎に複数のアラームの発生条件とその重要度を設定するアラーム重要度発生条件割付手段と、このアラーム重要度発生条件割付手で割付けられた複数のアラームの発生条件の中から条件を満たしたものを判別するとともに、２以上のアラーム発生条件を満たした場合には最も重要度のレベルが高いものを判別するアラーム条件判別手段と、このアラーム条件判別手段で判別された結果に基づいて前記表示手段に表示するオーバ・ビュー画面を生成するアラーム表示画面生成手段とを備える。【選択図】                    図１
2010071837.tif 000002
【特許請求の範囲】
【請求項１】
アラームが発生した旨を表示する表示手段を備えたペーパレスレコーダにおいて、
チャネル毎に複数のアラームの発生条件とその重要度を設定するアラーム重要度発生条件割付手段と、
このアラーム重要度発生条件割付手段で割付けられた複数のアラームの発生条件の中から条件を満たしたものを判別するとともに、２以上のアラーム発生条件を満たした場合には最も重要度のレベルが高いものを判別するアラーム条件判別手段と、
このアラーム条件判別手段で判別された結果に基づいて前記表示手段に表示するオーバ・ビュー画面を生成するアラーム表示画面生成手段と
を備えたことを特徴とするペーパレスレコーダ。
【請求項２】
前記アラーム表示画面生成手段は、前記オーバ・ビュー画面に表示される各チャネルの表示欄の背景色をアラームの重要度のレベルに基づいて変更した画面を生成することを特徴とする請求項１記載のペーパレスレコーダ。
【請求項３】
複数のチャネルをグルーピングするオーバ・ビュー・グループ割付手段を備え、前記アラーム表示画面生成手段は、前記オーバ・ビュー画面の表示欄をグループ単位で表示させる画面を生成することを特徴とする請求項１又は２記載のペーパレスレコーダ。
【請求項４】
前記設定手段は、前記オーバ・ビュー画面に表示された各チャネルの欄内に文字又は図形を設定することを特徴とする請求項１から３のいずれかに記載のペーパレスレコーダ。
【発明の詳細な説明】
【技術分野】
【０００１】
本発明は、発生したアラームを表示手段に表示するペーパレスレコーダに関し、特に、複数のアラーム発生条件の中で最も重要度のレベルが高いアラーム発生条件に関する情報を表示するペーパレスレコーダに関する。
【背景技術】
【０００２】
一般に、ペーパレスレコーダは工場等に配置して使用され、各種の測定データを電子データで記録するものである。しかし、ペーパレスレコーダで測定されたデータに異常が発生した場合には、タンク等の制御を正常な状態に復旧すべく、その旨を直ちに作業者に確認させる必要が生ずる。
【０００３】
ここで、作業者への通知は、通常ペーパレスレコーダの画面（表示手段）にアラームを表示させることにより行われる。ペーパレスレコーダの先行技術文献としては次のようなものがある。
【０００４】
【特許文献１】特開平１１―３３７５８６号公報
【０００５】
以下、図５を参照して従来のペーパレスレコーダを説明する。ペーパレスレコーダ１００は、制御手段１１０，データ取得手段１２０，記憶手段１３０，設定手段１４０，アラーム条件割付手段１５５，アラーム条件判別手段１５６，アラーム表示画面生成手段１５７，表示手段１６０からなる。
【０００６】
制御手段１１０は、ペーパレスレコーダ１００全体を制御する。データ取得手段１２０は、図示しない測定対象のデータを取得する。記憶手段１３０は、データ取得手段１２０で取得したデータを記憶する。設定手段１４０は例えばパネルに取り付けられたキーであり、アラームの発生条件を入力する。
【０００７】
アラーム条件割付手段１５５は、設定手段１４０を介してアラームの発生条件がチャネル毎に設定される。例えば、チャネル１ではアラームの発生条件をデータの電圧値が２Ｖ以上の場合とし、チャネル２ではアラームの発生条件を電圧が０．５Ｖ未満の場合とする。尚、１チャネルにつき複数のアラームの発生条件を設定しても良い。また、これらの割り付けられた条件は記憶手段１３０に書き込まれる。
【０００８】
アラーム条件判別手段１５６は、記憶手段１３０に記憶されたデータを参照し、アラーム条件割付手段１５５で割り付けられた条件を満たすか否か判別する。アラーム表示画面生成手段１５７は、アラームの表示画面を生成する。
【０００９】
表示手段１６０は、アラーム表示画面生成手段１５７で生成された画面を表示する。ここで、表示手段１６０で表示される画面は、例えば図６に示す通りであり、チャネル１の表示欄の背景色が符号５０１の様に変化してアラームの発生を表示する。
【００１０】
尚、図６のチャネル１は、アラームの発生条件である６００℃を超えた６１５．１℃が観測され、アラームが表示されていることを表している。
【００１１】
このように、従来のペーパレスレコーダは、チャネル毎のアラームの発生状況を、表示手段１６０に表示するので、どのチャネルでアラームが発生したか識別することができる。
【発明の開示】
【発明が解決しようとする課題】
【００１２】
ところで、図５のペーパレスレコーダ１００は、１チャネルにつき複数のアラーム発生条件を設定できるが、どのアラーム発生要件を満たしても、Ｈ（ハイ）又はＬ（ロウ）のアラームが表示される。
【００１３】
すなわち、アラームの表示が同じＨでも、Ｈの中には緊急性が高いものと低いものが存在し、同様に、Ｌの中にも緊急性の高いものと低いものが存在する。
【００１４】
しかし、図５のペーパレスレコーダ１００は、いずれかのアラーム発生要件を満たせば一律にＨ又はＬのアラームが表示されるため、どの制御対象の復旧をどの程度迅速に行うべきかの判断が困難である。
【００１５】
また、図６で示すとおり、チャネルの番号５０２と測定データ５０３のみが表示されるため、チャネル毎にどのような測定データが表示されているかの判断が困難である。
【００１６】
本発明は、これらの問題点に鑑みてなされたものであり、複数のアラーム発生条件の中で最も重要度のレベルが高いアラーム発生条件に関する情報を表示するペーパレスレコーダを提供することを目的とする。
【課題を解決するための手段】
【００１７】
この様な課題を達成するために本発明は次の構成を備える。
（１）アラームが発生した旨を表示する表示手段を備えたペーパレスレコーダにおいて、
チャネル毎に複数のアラームの発生条件とその重要度を設定するアラーム重要度発生条件割付手段と、
このアラーム重要度発生条件割付手段で割付けられた複数のアラームの発生条件の中から条件を満たしたものを判別するとともに、２以上のアラーム発生条件を満たした場合には最も重要度のレベルが高いものを判別するアラーム条件判別手段と、
このアラーム条件判別手段で判別された結果に基づいて前記表示手段に表示するオーバ・ビュー画面を生成するアラーム表示画面生成手段と
を備えたことを特徴とするペーパレスレコーダ。
（２）前記アラーム表示画面生成手段は、前記オーバ・ビュー画面に表示される各チャネルの表示欄の背景色をアラームの重要度のレベルに基づいて変更した画面を生成することを特徴とする請求項１記載のペーパレスレコーダ。
（３）複数のチャネルをグルーピングするオーバ・ビュー・グループ割付手段を備え、前記アラーム表示画面生成手段は、前記オーバ・ビュー画面の表示欄をグループ単位で表示させる画面を生成することを特徴とする請求項１又は２記載のペーパレスレコーダ。
（４）前記設定手段は、前記オーバ・ビュー画面に表示された各チャネルの欄内に文字又は図形を設定することを特徴とする請求項１から３のいずれかに記載のペーパレスレコーダ。
【発明の効果】
【００１８】
本発明では次のような効果がある。アラームの発生条件に重要度を設定するとともに、１チャネルに複数のアラーム発生条件を割り付けるアラーム重要度発生条件割付手段を設けたので、制御対象の復旧をどの程度迅速に行うべきかの判断が容易である。
【発明を実施するための最良の形態】
【００１９】
以下、図１を参照して本発明によるペーパレスレコーダを説明する。ただし、図５と同一の構成については同一の符号を付して説明を省略する。
【００２０】
設定手段１４１は、例えばパネルに取り付けられたキーであり、アラームの発生条件の設定に加え、後述する”コメント”（文字）をオーバ・ビュー画面の各チャネルの表示欄に入力する。尚、各チャネルの表示欄には、コメントに替え、又はコメントとともにビットマップイメージ等の図形を表示して良い。
【００２１】
アラーム重要度発生条件割付手段１５１は、例えば図２のアラーム５１１の欄に示すとおり、チャネル毎に複数のアラーム発生条件を設定し得る。尚、アラーム重要度発生条件割付手段１５１は、アラーム発生条件の他、各アラーム発生条件の重要度のレベルも設定し得る。
【００２２】
但し、”重要度”のレベル設定は、この図２の画面では行なわれず、各チャネル共通で別画面で行っても良く、例えば４段階に重要度のレベルが割り付けられ、後述する説明においてはレベルの数が大きいほど重要度が高いものとする。
【００２３】
また、図２の例では重要度の設定を別画面で行っているので図２からは判断できないが、アラーム５１１の欄は、アラーム発生条件１と３の重要度レベルが２に設定され、アラーム発生条件２と４の重要度レベルが１に設定されたものである。このように、４段階以内であれば後述する２段階に設定しても差し支えない。
【００２４】
図２のチャネル番号の設定欄５１０は、先頭チャネルが００１で最終チャネルが００１と表示されている。これは連続したチャネル番号で共通のアラーム発生条件を使用する場合があり、その際の設定作業量を軽減するため、共通するアラーム発生条件のチャネルを一度に設定できるようにしたものである。
【００２５】
次に、図２のアラーム５１１欄について詳細に説明する。アラーム発生条件１、すなわち一番上の行では、タイプが”Ｈ”、アラーム値が”６００.０”℃、リレー出力が”Ｏｎ”となっている。
【００２６】
ここで、タイプ”Ｈ”はアラーム値を”超える”ことを条件としたものである。従って、アラーム発生条件１は、温度が６００℃を超えた場合にはリレー出力をオンにするという意味である。
【００２７】
同様に、アラーム発生条件２は温度が５００℃を超えた場合にはリレー出力をオンにするという意味であり、アラーム発生条件３は温度が２５０℃を下回った場合でもリレー出力はオフであるという意味である。アラーム発生条件４については温度が３００℃である点を除きアラーム発生条件３と同様である。
【００２８】
尚、リレー出力がオンの場合には、このリレーの先に例えばブザー等を設け、表示手段１６０による表示に加えて音による通知をしても良い。
【００２９】
また、アラーム条件判別手段１５２，アラーム表示画面生成手段１５３の機能は後述する動作説明で併せて行う。
【００３０】
次に、図２で設定したアラーム発生条件の下でどのようにペーパレスレコーダ１０１が動作するか図３を参照して説明する。まず、通常動作の範囲は３００℃〜５００℃である。そして、測定対象に何らかの変化が発生し温度が５００℃を超えたとき、図２で設定したアラーム発生条件２の条件を満たすこととなる。
【００３１】
この際、図１のアラーム条件判別手段１５２はアラームの発生を判断し、アラーム表示画面作成手段１５３はアラーム表示画面を生成する。ここで、アラーム発生条件２は上述のように重要度レベルが１に設定されているので、アラーム表示画面生成手段１５３はチャネル番号００１の背景色を黄色にするオーバ・ビュー画面を生成し、この生成された画面は表示手段１６０に表示される。
【００３２】
更に温度が上昇し、測定対象の温度が６００℃を超えた場合について説明する。温度が６００℃を超えた場合、アラーム発生条件１の条件を満たすとともに、当然にアラーム発生条件２（温度が５００℃を超える）も満たす。
【００３３】
ここで、アラーム発生条件１とアラーム発生条件２の関係については、上述のようにアラーム発生条件１の方が重要度のレベルが高く設定されているので、アラーム条件判別手段１５２がこのレベルの相違を判別し、重要度が高いもの（ここではアラーム発生条件１）が選択される。
【００３４】
この場合、アラーム発生条件１のレベルは”２”であるので、アラーム表示画面生成手段１５３はチャネル番号００１の背景色をピンク色にしたオーバ・ビュー画面を生成し、この生成されたオーバ・ビュー画面は表示手段１６０に表示される。
【００３５】
一方、温度が低下し、測定対象の温度が３００℃を下回った場合、アラーム発生条件４を満たす。アラーム発生条件４の重要度はレベル１に設定されているので、アラーム表示画面生成手段１５３では、チャネル番号００１の背景色を黄色としたオーバ・ビュー画面が生成され、この生成された画面は表示手段１６０に表示される。
【００３６】
更に温度が低下し、測定対象の温度が２５０℃を下回った場合、アラーム発生条件３を満たす。アラーム発生条件３は、重要度がレベル２に設定されているので、重要度が高いものが優先され、背景色をピンク色にする画面が生成される。
【００３７】
尚、この実施例ではアラーム発生条件３の重要度レベルを”２”とし、アラーム発生条件４の重要度レベルを”１”としたが、重要度のレベルをそれぞれ”４及び３”として背景色を別の色（例えば赤とオレンジ）としても差し支えない。
【００３８】
次に、図４を参照してアラーム表示画面生成手段１５３で生成されたオーバ・ビュー表示画面を説明する。オーバ・ビュー表示画面は、例えば左上の表示欄に示すとおりコメント５２０が付されている。このコメントには、”タンク１の温度異常あり  正常値３００.０−５００.０℃”と表示されている。
【００３９】
このように、チャネル毎にコメントを設定する設定手段１４１を設け、このコメントをオーバ・ビュー表示画面の各チャネルの表示欄に表示するので、アラームの意味内容を素早く的確に把握できる。
【００４０】
尚、コメントの内容は、正常状態及びアラームのレベル毎に表示する内容を分けても良い。
【００４１】
例えば、正常状態では「タンク１の温度は正常」と表示し、重要度がレベル１のアラームが発生したときは「タンク１の温度が上昇している」と表示し、重要度がレベル２のアラームが発生したときは「タンク１の温度が危険状態である。ｘｘｘに連絡せよ」と表示する。
【００４２】
このように、各状態で表示するコメントを変更することにより、操作者により具体的で適切な内容を伝えることができる。
【００４３】
一方、図４の左下の表示欄は、”タンク１の温度  ６００℃以上”と表示されると同時に、レベル２のアラーム色であるピンクが背景に用いられている。つまり、図２で設定した各アラーム発生条件を満たした場合、アラーム表示画面生成手段１５３で図４のオーバ・ビュー画面が生成され、表示手段１６０に表示される。
【００４４】
このように、アラームのレベルにより背景色を切り換えて表示するので、緊急性が高いアラームを把握できる。
【００４５】
次に、本発明の応用例を説明する。オーバ・ビュー画面の各チャネルの表示欄には、コメント及び図形に加え、各チャネルの測定値を表示しても良い。
【００４６】
また、設定手段１４１は、アラーム発生時の色に加えて、正常動作状態の背景色を選択できるようにしても差し支えない。さらに、アラームが発生時の表示は上述のように単に背景色を変える他、点滅するようにしても良い。
【００４７】
更に、この点滅状態は操作者がアラームを確認すること（Ａｃｋｎｏｗｌｅｄｇｅ）で点灯状態としても良い。また、この点滅状態はアラームの優先度に基づいて間隔を変更しても良い。  
【００４８】
また、操作者の作業環境に応じて、図形を登録する図形登録手段と、これを表示する画面を生成する図形表示画面生成手段を設け、図４のオーバ・ビュー画面の各チャネルの表示欄にこれらの図形を表示できるようにしても良い。
【００４９】
このように、コメント５２０に替え、又はコメント５２０とともにビットマップイメージ等の図形を表示することにより、どの表示欄がどのような意味内容のアラームを表示したものか容易に把握することができる。
【００５０】
次に、本発明の他の応用例を説明する。図４のオーバ・ビュー画面では、チャネル毎に一つの表示欄を割り付けていた。しかし、実際に使用されるチャネル数が多い場合には、チャネル毎に一つの表示欄を割り付けたのでは全てのチャネルの状況を一画面で把握できない。
【００５１】
そこで、複数のチャネルをグルーピングし、オーバ・ビュー画面ではこれらのグループ毎に一つの表示欄を割り付ける。割付の方法は、図１のオーバ・ビュー・グループ割付手段３００を用いて、例えば、グループ１をチャネル１〜チャネル１０とし、グループ２をチャネル１１〜チャネル２０とし、グループ３をチャネル２１〜チャネル３０とし、グループ４をチャネル３１〜チャネル４０と設定する。
【００５２】
そして、例えばグループ１に属するチャネル５でアラームが発生した場合、グループ１の表示欄を点灯又は点滅させる。操作者は、この点灯又は点滅状態を認識し、その表示欄を設定手段１４１のキーを用いてｅｎｔｅｒ（エンター）する。
【００５３】
アラーム表示画面生成手段１５３は、１０分割した画面、すなわちチャネル１〜チャネル１０のアラームの状態を一度に表示し得る画面を生成する。そして、表示手段１６０はこの画面を表示する。
【００５４】
このように、複数のチャネルを一つのグループに纏めて表示することにより、チャネルスが増加しても、どのチャネルでアラームが発生したか速やかに把握することができる。
【図面の簡単な説明】
【００５５】
【図１】本発明のペーパレスレコーダの構成図である。
【図２】アラーム発生条件の設定画面の例である。
【図３】図１の動作説明図である。
【図４】オーバ・ビュー画面の例である。
【図５】従来のペーパレスレコーダの構成図である。
【図６】従来のペーパレスレコーダのオーバ・ビュー画面である。
【符号の説明】
【００５６】
１０１    ペーパレスレコーダ
１１０    制御手段
１２０    データ取得手段
１３０    記憶手段
１４１    設定手段
１５１    アラーム重要度発生条件割付手段
１５２    アラーム条件判別手段
１５３    アラーム表示画面生成手段
１６０    表示手段
【図１】
2010071837.tif 000003
【図３】
2010071837.tif 000004
【図５】
2010071837.tif 000005
【図２】
2010071837.tif 000006
【図４】
2010071837.tif 000007
【図６】
2010071837.tif 000008